(57)【要約】【課題】デジタル放送用信号発生器の利便性を向上させる。【解決手段】  本発明のデジタル放送用信号発生器（３００）は、カラーバーＴＳ信号を生成するＴＳジェネレータ部（３０）と、複数のデジタル放送方式の中から選択された１つのデジタル放送方式でカラーバーＴＳ信号を変調するデジタル変調部（３１）と、カラーバーＴＳ信号の周波数を変換するアップコンバータ部（２２）と、を内部に備える。複数のデジタル放送方式は、ＩＳＤＢ方式、ＤＶＢ方式およびＡＴＳＣ方式である。【選択図】  図３
2005136770.tif 000002
【特許請求の範囲】
【請求項１】
デジタル放送用信号発生器であって、
試験用ＴＳ信号を生成するＴＳジェネレータ部と、
試験用ＴＳ信号を変調するデジタル変調部と、
を内部に備えるデジタル放送用信号発生器。
【請求項２】
請求項１に記載のデジタル放送用信号発生器であって、前記デジタル変調部が、複数のデジタル放送方式の中から選択された１つのデジタル放送方式で試験用ＴＳ信号を変調する、デジタル放送用信号発生器。
【請求項３】
請求項２に記載のデジタル放送用信号発生器であって、前記複数のデジタル放送方式が、ＩＳＤＢ方式、ＤＶＢ方式およびＡＴＳＣ方式である、デジタル放送用信号発生器。
【請求項４】
請求項１に記載のデジタル放送用信号発生器であって、前記試験用ＴＳ信号が、カラーバーＴＳ信号である、デジタル放送用信号発生器。
【請求項５】
請求項１に記載のデジタル放送用信号発生器であって、該発生器はさらに、
試験用ＴＳ信号の周波数を変換するアップコンバータ部を
内部に備えるデジタル放送用信号発生器。
【発明の詳細な説明】
【技術分野】
【０００１】
本発明は、デジタル放送用信号発生器に関連する。より詳細には、本発明は、ＴＳ（Ｔｒａｎｓｐｏｒｔ  Ｓｔｒｅａｍ）を内部で生成する装置であって、そのＴＳを、複数のデジタル放送方式の中から選択された１つのデジタル放送方式で、変調して、デジタル放送用信号を発生する装置に関連する。
【背景技術】
【０００２】
図１は、デジタル放送用の従来の試験システムの１例を示す。図１に示すように、従来の試験システムは、試験用ＴＳ信号を生成するＴＳジェネレータ１０と、試験用ＴＳ信号をデジタル変調するデジタル変調器１１と、試験用ＴＳ信号の周波数を変換するアップコンバータ１２と、評価機器１３とを備える。
【０００３】
試験用信号には、例えば、簡易動画、静止画、カラーバー等が含まれる。カラーバーを例に説明すると、ＴＳジェネレータ１０は、カラーバー信号（試験用信号）をＭＰＥＧ２−Ｖｉｄｅｏ方式で符号化し、符号化したカラーバー信号をＭＰＥＧ２−Ｓｙｓｔｅｍｓ方式で多重化して、カラーバーＴＳ信号（試験用ＴＳ信号）を生成する。ＴＳジェネレータ１０は、カラーバーＴＳ信号を変調器１１に出力する。ＴＳジェネレータ１０によって生成されるカラーバーには、フルフィールド・カラーバー、ＥＩＡカラーバー、ＳＭＰＴＥカラーバー、などの種類が含まれる。
【０００４】
デジタル変調器１１は、カラーバーＴＳ信号を、外部のＴＳジェネレータ１０から入力する。地上デジタル放送の場合、変調方式には、日本で採用されているＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ  ｔｒａｎｓｍｉｓｓｉｏｎ）と、欧州で採用されているＤＶＢ−Ｔ（Ｄｉｇｉｔａｌ  Ｖｉｄｅｏ  Ｂｒｏａｄｃａｓｔｉｎｇ−Ｔｅｒｒｅｓｔｒｉａｌ）と、米国で採用されているＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）とが含まれ、変調方式に依存して変調器が選択される。言い換えれば、従来のデジタル変調器１１は、１つのデジタル放送方式しか備えていなかった。ＩＳＤＢ−Ｔ方式のデジタル変調器１１は、カラーバーＴＳ信号をＩＳＤＢ−Ｔ方式でデジタル変調し、変調したカラーバーＴＳ信号をアップコンバータ１２に出力する。（或いは、ＤＶＢ−Ｔ方式のデジタル変調器１１は、カラーバーＴＳ信号をＤＶＢ−Ｔ方式でデジタル変調する。或いは、ＡＴＳＣ方式のデジタル変調器１１は、カラーバーＴＳ信号をＡＴＳＣ方式でデジタル変調する。）
【０００５】
アップコンバータ１２は、変調されたカラーバーＴＳ信号を、外部のデジタル変調器１１から入力する。アップコンバータ１２は、デジタル変調器１１が採用する変調方式に依存して、選択される。アップコンバータ１２は、変調されたカラーバーＴＳ信号を、所定の１つのデジタル放送方式に対応した周波数に変換し、変換された周波数を持つカラーバーＴＳ信号を評価機器１３に出力する。
【０００６】
評価機器１３（例えば、テレビ、チューナー、セットトップボックス等）は、カラーバーＴＳ信号をアップコンバータ１２から入力する。
【０００７】
図２は、デジタル放送用の従来の試験システムのもう１つの例を示す。図２に示すように、従来の試験システムのデジタル放送用信号発生器２００は、外部のＴＳジェネレータ１０と接続された状態で、カラーバーＴＳ信号を入力し、記憶部２０に記憶し、その後、外部のＴＳジェネレータ１０から切り離される。言い換えれば、デジタル放送用信号発生器２００は、カラーバーＴＳ信号を内部で生成しておらず、ＴＳジェネレータ１０で生成されたカラーバーＴＳ信号を再生しているだけである。また、従来のデジタル放送用信号発生器２００は、アップコンバータ部２２を内部に備えている。
【０００８】
デジタル放送用信号発生器２００のデジタル変調部２１は、内部の記憶部２０に記憶するカラーバーＴＳを読み出し、そのカラーバーＴＳ信号をデジタル変調し、変調したカラーバーＴＳ信号をアップコンバータ部２２に出力する。なお、従来のデジタル変調部２１は、１つのデジタル放送方式にだけ対応している。
【０００９】
アップコンバータ部２２は、変調されたカラーバーＴＳ信号を、デジタル変調部２１から入力する。アップコンバータ部２２は、変調されたカラーバーＴＳ信号を、所定の１つのデジタル放送方式に対応した周波数に変換し、変換された周波数を持つカラーバーＴＳ信号を外部の評価機器１３に出力する。
【００１０】
なお、ＴＳ信号を外部から入力し、そのＴＳ信号をＩＳＤＢ−Ｔ方式でデジタル変調する変調器の具体的で一般的な構成は、以下に示す特許文献１、特許文献２などに記載されている。
【特許文献１】特開２００１−２７４７６４号公報（第１図、第８図）
【特許文献２】特開２００３−６０５９５号公報（第１図、第４図）
【発明の開示】
【発明が解決しようとする課題】
【００１１】
本発明の目的は、デジタル放送用信号発生器の利便性を向上させることである。
本発明の他の目的は、以下の本発明の実施の形態および添付の図面を参照することにより、当業者にとって、明らかになるであろう。
【課題を解決するための手段】
【００１２】
本発明のデジタル放送用信号発生器は、試験用ＴＳ信号を生成するＴＳジェネレータ部と、試験用ＴＳ信号を変調するデジタル変調部と、を内部に備える。好ましくは、そのデジタル変調部は、複数のデジタル放送方式の中から選択された１つのデジタル放送方式で試験用ＴＳ信号を変調する。
【発明の効果】
【００１３】
本発明のデジタル放送用信号発生器は、ＴＳジェネレータ部を内部に備えている。従って、デジタル放送用の試験システムを構成する際に、分離しているＴＳジュネレータ及び変調器を個別に準備する必要がなくなる。また、本発明のデジタル放送用信号発生器によれば、従来のＴＳジュネレータ及び変調器のそれぞれが備えなければならない外部入力のためのインタフェースが不要であり、インタフェース用の制御ソフトの開発も不要である。さらに、本発明のデジタル放送用信号発生器によれば、カラーバーＴＳ信号を一度記憶して、再生するための記憶装置が不要であり、デジタル放送用信号発生器を小型化することが可能となる。
【００１４】
また、本発明のデジタル放送用信号発生器は、複数のデジタル放送方式に対応するデジタル変調部を内部に備えている。従って、各国のデジタル放送方式に対応する試験システムを構成する際に、各国のデジタル放送方式に対応する複数の変調器を個別に準備する必要がなくなる。
【発明を実施するための最良の形態】
【００１５】
図３は、本発明のデジタル放送用信号発生器を備える試験システムの構成例を示す。図３に示すように、本発明のデジタル放送用信号発生器３００は、試験用ＴＳ信号を生成するＴＳジェネレータ部３０と、複数のデジタル放送方式の中から選択された１つのデジタル放送方式で試験用ＴＳ信号を変調するデジタル変調部３１と、試験用ＴＳ信号の周波数を変換するアップコンバータ部２２と、を内部に備える。
【００１６】
複数のデジタル放送方式には、ＩＳＤＢ（ＩＳＤＢ−Ｓ、ＩＳＤＢ−Ｃ、ＩＳＤＢ−Ｔ、ＩＳＤＢ−ＴＳＢを含む）方式、ＤＶＢ（ＤＶＢ−Ｓ、ＤＶＢ−Ｃ、ＤＶＢ−Ｔを含む）方式およびＡＴＳＣ方式が含まれる。地上デジタル放送の場合、ＩＳＤＢ−Ｔ方式が採用され、また、ＤＶＢ−Ｔ方式が採用されている。以下に、地上デジタル放送に対応するデジタル放送用信号発生器を説明するが、本発明は、地上デジタル放送に限定されないことを留意されたい。
【００１７】
ＴＳジェネレータ部３０は、生成した試験用信号をＭＰＥＧ２−Ｖｉｄｅｏ方式で符号化し、符号化した試験用信号をＭＰＥＧ２−Ｓｙｓｔｅｍｓ方式で多重化して、試験用ＴＳ信号（例えば、カラーバーＴＳ信号）を生成する。ＴＳジェネレータ部３０は、試験用ＴＳ信号を変調器１１に出力する。
【００１８】
デジタル変調部３１は、試験用ＴＳ信号を、ＴＳジェネレータ部３０から入力する。デジタル変調部３１は、３つの地上デジタル放送方式、即ち、ＩＳＤＢ−Ｔ方式、ＤＶＢ−Ｔ方式およびＡＴＳＣ方式に対応し、ユーザによって選択された１つの地上デジタル放送方式で、試験用ＴＳ信号を変調することができる。地上デジタル放送方式としてＩＳＤＢ−Ｔ方式が選択された場合、デジタル変調部３１は、試験用ＴＳ信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調する。地上デジタル放送方式としてＤＶＢ−Ｔ方式が選択された場合も、デジタル変調部３１は、試験用ＴＳ信号をＯＦＤＭ変調する。地上デジタル放送方式としてＡＴＳＣ方式が選択された場合、デジタル変調部３１は、試験用ＴＳ信号を８値ＶＳＢ（Ｖｅｓｔｉｇｉａｌ  Ｓｉｄｅ  Ｂａｎｄ）変調する。
【００１９】
図４は、ＩＳＤＢ−Ｔ方式に対応するデジタル変調部の詳細な構成例を示す。ＤＶＢ−Ｔ方式およびＡＴＳＣ方式のそれぞれに対応するデジタル変調は、周知の技術であるために、ここでは、その詳細な説明を省略する。
【００２０】
アップコンバータ部２２は、変調された試験用ＴＳ信号をデジタル変調部３１から入力する。アップコンバータ部２２は、各国のデジタル放送方式に対応する。具体的には、アップコンバータ部２２は、変調されたカラーバーＴＳ信号を、ユーザによって選択された１つの放送方式に対応した周波数に変換し、変換された周波数を持つ試験用ＴＳ信号を評価機器１３に出力する。
【００２１】
本発明のデジタル放送用信号発生器は、上述の実施形態にのみ限定されるものではなく、本発明の要旨を逸脱しない範囲内において種々変更を加え得ることは勿論である。例えば、本発明のデジタル放送用信号発生器の変形例として、図３に示すアップコンバータ部２２の代わりに、図１に示すような外部のアップコンバータを採用してもよい。
【図面の簡単な説明】
【００２２】
【図１】デジタル放送用の従来の試験システムの１例を示す。
【図２】デジタル放送用の従来の試験システムのもう１つの例を示す。
【図３】本発明のデジタル放送用信号発生器を備える試験システムの構成例を示す。
【図４】ＩＳＤＢ−Ｔ方式に対応するデジタル変調部の詳細な構成例を示す。
【図１】
2005136770.tif 000003
【図２】
2005136770.tif 000004
【図３】
2005136770.tif 000005
【図４】
2005136770.tif 000006